(57)【要約】  電流が加えられた時に熱を放出することができる柔軟な衣料システムであって、電気的に及び熱的に伝導性の領域（１）を組み入れる電気的に絶縁性の繊維に富む基材構造（４）と、少なくとも二つの電力源ライン（２）とを含む衣料システム。加熱要素は、電気的に及び熱的に伝導性の繊維を含む織られた、編まれた又は織られていない布（１）からなる。二つ又はそれ以上の布地ベースの電力源ライン（２）は、パネルに電流を供給するために組み入れられ、適切な電気的に伝導性の固定手段（３）を介して電力源に接続される。【選択図】  図１
2007529238.tif 000002
【特許請求の範囲】
【請求項１】
電流が加えられた時に熱を放出することができる柔軟な衣料システムであって、電気的に及び熱的に伝導性の領域を有する電気的に絶縁性の繊維基材構造と、少なくとも二つの電力源ラインとを含み、これらの全てが布の製造段階の間に組み入れられる、衣料システム。
【請求項２】
前記電気的に絶縁性の繊維基材構造が、天然繊維、再生繊維又は合成繊維から作られた、織られた、編まれた又は織られていない布である請求項１に記載の衣料。
【請求項３】
前記電気的に及び熱的に伝導性の領域が、以下の繊維のうちの一つから作られた、織られた、編まれた又は織られていない布であることができる請求項１に記載の衣料：
ａ．金属繊維；
ｂ．炭素繊維；
ｃ．金属被覆ポリマー繊維；
ｄ．伝導性のポリマーで被覆された繊維；
ｅ．伝導性のポリマー繊維；又は
ｆ．これらの材料の組合せ。
【請求項４】
前記電気的に及び熱的に伝導性の領域が、請求項２に記載の繊維とブレンドされた請求項３に記載の繊維から作られる請求項１に記載の衣料。
【請求項５】
自蔵電力源への接続により電力が供給される請求項１〜４のいずれか一項に記載の衣料。
【請求項６】
より進歩的な衣料システムを形成するために適用される熱的に伝導性の領域を有するさらなる基材構造を有する請求項１〜５のいずれか一項に記載の衣料。
【発明の詳細な説明】
【技術分野】
【０００１】
本発明は加熱衣料システムに関し、特に、いかなる衣服製品の形態であることもできる、柔軟な、電気出力の加熱衣料システムに関する。かかる衣料は独立型の衣料として使用されることができるか、又はより進歩的な衣料システムを製造するために適用されるさらなる層を有することができる。
【背景技術】
【０００２】
現存する加熱衣料システムは、所望の加熱効果をもたらすために困難な配線技術に依存している。この主な欠点は、製品の審美性及び快適性の側面を損なうことである。このことは多数の衣服製品、特に肌着に内在する性質のためにかなりの欠点になりうる。典型的には、現存する加熱衣料要素は加熱が必要とされる領域に位置された金属電線又はストリップからなる。これらの例としては、ＪｏｈｎｓｏｎらのＵＳ３６６３７９６，ＤｏｏｓｕｎｇのＷＯ０３００５９０９９及びＢａｌａらのＵＳ２００２１４６９４８が挙げられる。これらの加熱衣料要素は電気的に伝導性の電線を介して電力源に接続されており、前記電線は典型的には布地の層の下の衣料の本体に結合されている。
【０００３】
電力源を組み入れられた加熱衣料システムの従来の型は、腰のまわりに着用されるベルトに作りつけられており、従って接続電線がベルトから胴及び手足に沿って衣料まで延びていた。この一例はＴｒａｆｆａｎｓｔｅｄｔらのＵＳ４７０５９３５であり、そこでは加熱靴下が、着用者の腰領域に配置されたベルトに固定されたユニットを介して電力を供給され操作される。これは非常に制限的で不便な装置である。ウェルト領域に配置されたポーチの中に加熱靴下のための電力源が収容されていることを開示しているＭｕｒｐｈｙらのＵＳ３３９６２６４のように、多くの加熱衣料の型は電力源を収容するためのポケットを衣料自体に含んでいる。かかるシステムは、電力源として、嵩高い標準的な家庭用電池を使用している。それに加えて、これらの衣料はまた、別個のコントローラーによって所望の加熱効果を選択するための能力を着用者に提供している。加熱要素構成部品と接続電線の剛さ及び電力源の嵩高さのために、これらのシステムは満足のいくものではない。これらの剛くて嵩高い構成部品の存在は、着用者にかなりの不快感をもたらしうる。これらの両方は、とりわけ肌に隣接して着用されることを意図される衣服にとっては主な欠点である。
【０００４】
これらの先行技術の衣料は網羅的に述べたものではなく、先行技術の典型例である。かかる先行技術の装置は衣料に活性な加熱効果を提供するが、その一方で、従来の衣料製造方法に役立ち、従って商業的に及び経済的に見込みがあり、かかる衣料に関連する身体的及び審美的な特性の全てを保持する、加熱衣料システムの必要性が存在する。
【発明の開示】
【０００５】
発明の目的
本発明の目的は、電流が加えられた時に熱を放出することができる加熱衣料システムを提供することである。この衣料システムは、従来の衣料の審美的な特性及び耐久性を保持するだけではなく、人目に付かない加熱要素の組み入れによって機能性の新しいレベルを提供するはずであり、又は少なくとも人々に便利な選択を提供するはずである。
【０００６】
かかる衣料は、従来の衣料と同様に屋内と屋外の両方で着用されることができるか、または携帯用の電力源及びコントローラーを介して活性な加熱装置として使用されることができる。
【０００７】
発明の要約
本発明は、編まれた、織られた、又は織られていない布の製造工程によって製造される加熱衣料システムであって、布地の製造中に加熱領域及び接続性構成部品が前記システムに組み入れられる加熱衣料システムを提供する。
【０００８】
特に、本発明は単一の製造工程で製造される加熱衣料システムを提供する。
【０００９】
より詳しくは、本発明は、電流が加えられた時に熱を放出することができる柔軟な衣料システムであって、電気的に及び熱的に伝導性の領域を有する電気的に絶縁性の繊維基材構造と、少なくとも二つの電力源ラインとを含み、これらの全てが布の製造段階の間に組み入れられる、衣料システムを提供する。
【００１０】
前記電気的に絶縁性の基材は、天然繊維、再生繊維又は合成繊維から作られた、織られた、編まれた又は織られていない布であることができる。
【００１１】
完成したシステムは、多数の電気的に絶縁性の繊維を、少数の電気的に及び熱的に伝導性の糸又は繊維と共に含む。
【００１２】
前記電気的に及び熱的に伝導性の加熱領域は、以下の繊維のうちの一つから構成されることができる：
（１）金属繊維；
（２）炭素繊維；
（３）金属被覆ポリマー繊維；
（４）伝導性のポリマーで被覆された繊維；
（５）伝導性のポリマー繊維；又は
（６）これらの材料の組合せ。
【００１３】
前記電気的に及び熱的に伝導性の加熱領域は、上述のような繊維とブレンドされた上述のような繊維から構成されることができる。
【００１４】
前記システムは、自蔵電力源への接続により電力が供給されることができる。
【００１５】
より進歩的な衣料システムを形成するために適用される熱的に伝導性の領域を有するさらなる基材構造を存在させることができる。
【００１６】
図面の簡単な記述
今、本発明は例示のみのために及び添付の図面を参照して記述される。
図１は活性な衣料システムを示す。
図２は衣料内の加熱部分を示す。
【発明を実施するための最良の形態】
【００１７】
図１に示されるように、加熱衣料は柔軟な布地ベースのシステムを含む。これは、衣料の形態及びその潜在的な使用環境の両方に依存して単一層又は多層のいずれかの布地配置からなることができる。加熱要素は、編まれた、織られた、織られていない布の製造中に、布構造に一体化される。基材衣料（４）は電気的に伝導性ではない繊維から構成され、一方加熱要素（１）は非伝導性の繊維と電気的及び熱的に伝導性の繊維とのブレンドから構成される。二つ又はそれ以上の糸ベースの電力源ライン（２）はパネルに電流を供給するために組み入れられる。これらは電気的に伝導性の固定手段（３）を介してコントローラー及び電力源に直接接続される。
【００１８】
図２に示されるように、加熱要素は活性な加熱効果が望ましい衣料の区域を被覆するために広がる。電力ライン（２）は衣料の基材構造に組み入れられ、電気コネクタから加熱要素のいずれかの側まで延びる。本発明は、小型の携帯用電力源及び操作ユニットを介して適切な電圧及び電流変換で電力が供給されるように設計されている（図示されず）。
【００１９】
図面及び明細書の記載は単に説明の目的のためのものであり、本発明の制限を規定するためのものではなく、本発明の制限の規定には請求の範囲を参照すべきであるということは理解されるべきである。
【実施例】
【００２０】
実施例１
電気的に絶縁性の材料である天然繊維及び／又は合成繊維からなる基材構造と、二つ又はそれ以上の布地の電力ラインとを有する加熱靴下であって、前記基材構造が天然繊維及び／又は合成繊維とブレンドされたステンレス鋼繊維からなる伝導性の領域を有する加熱靴下。衣料に電気が供給されると、構成要素は熱を放出する。
【００２１】
実施例２
伝導性の領域が天然繊維及び／又は合成繊維とブレンドされることができる炭素繊維により構成されること以外は実施例１と同様である。
【００２２】
実施例３
整形外科の症状、関節炎の症状、及びリウマチの症状の治療において使用されることができる、直径の管の形態であること以外は実施例１及び２と同様である。
【００２３】
実施例４
スポーツの負傷の治療において使用されることができる、運動用の包帯の形態であること以外は実施例１及び２と同様である。
【００２４】
実施例５
基材構造と、電気的に及び熱的に伝導性の領域とが多層衣料システム内に層を形成する加熱手袋。
【００２５】
実施例６
実施例１に記載されたような基材構造と電気的に及び熱的に伝導性の領域とからなる加熱ベスト。
【産業上の利用可能性】
【００２６】
本発明は、従来の衣料の審美性及び性能特性を有する加熱衣料製品を提供する。この製品は、靴下、手袋、ベスト、ボディーベスト、ももひき、包帯又はサポーター、又は個人の服又は個人利用のためのその他の衣料の形態、もしくはより進歩的な衣料システムのための層の形態で使用されることができる。
【図面の簡単な説明】
【００２７】
【図１】活性な衣料システムを示す。
【図２】衣料内の加熱部分を示す。
【図１】
2007529238.tif 000003
【図２】
2007529238.tif 000004
【国際調査報告】
2007529238.tif 000005
2007529238.tif 000006